(57)【要約】【課題】操作部材の回動操作を容易にできるシングルレバー式水栓を提供すること。【解決手段】上流側の給水路５に連通する給水用貫通孔５５および下流側の排水路７１に連通する排水用貫通孔５６が形成された固定ディスク５４と、この固定ディスク５４の上面Ｃに水密状態で接触しながら摺動する下面Ｂを有し、この下面Ｂに凹部１ａが形成された可動ディスク１と、上下方向の回動により可動ディスク１を前記上面ｃに摺動させる操作部材５１とを備え、この操作部材５１の回動により、可動ディスク１を、前記凹部１ａが前記給水用貫通孔５５を閉塞する閉塞位置と、前記凹部１ａが、前記給水用貫通孔５５および前記排水用貫通孔５６に跨がる開放位置とに摺動させるように構成したシングルレバー式水栓において、可動ディスク１の前記下面Ｂに、前記下面Ｂと前記上面Ｃの接触面積を小さくするための溝４０〜４３を形成してある。【選択図】            図３
2004218826.tif 000002
【特許請求の範囲】
【請求項１】
上流側の給水路に連通する給水用貫通孔および下流側の排水路に連通する排水用貫通孔が形成された固定ディスクと、この固定ディスクの上面に水密状態で接触しながら摺動する下面を有し、この下面に凹部が形成された可動ディスクと、上下方向の回動により可動ディスクを前記上面に摺動させる操作部材とを備え、この操作部材の回動により、可動ディスクを、前記凹部が前記給水用貫通孔を閉塞する閉塞位置と、前記凹部が、前記給水用貫通孔および前記排水用貫通孔に跨がる開放位置とに摺動させるように構成したシングルレバー式水栓において、可動ディスクの前記下面に、前記下面と前記上面の接触面積を小さくするための溝を形成してあることを特徴とするシングルレバー式水栓。
【請求項２】
前記凹部は、可動ディスクの前記下面の中央部に形成され、前記溝は、前記下面に形成された前記凹部のまわりに複数個形成されている請求項１に記載のシングルレバー式水栓。
【請求項３】
前記凹部は、可動ディスクの前記下面の中央部に形成され、前記溝は、前記下面に形成された前記凹部のまわりに複数個形成されており、少なくとも可動ディスクの前記下面と固定ディスクの前記上面との摺動面部にカーボンナノチューブを用いた請求項１に記載のシングルレバー式水栓。
【発明の詳細な説明】
【０００１】
【発明の属する技術分野】
この発明は、操作部材を上下方向に回動操作することにより吐水、止水するシングルレバー式水栓に関する。
【０００２】
【従来の技術】
本願出願人は、図６において、実線で示すように操作部材（操作レバー）５１を下方向に回動することにより、可動ディスク５２の下面に形成された凹部５３を固定ディスク５４に設けた給水用貫通孔５５の直上に位置させて給水用貫通孔５５を閉塞し、それによって止水状態にする一方、二点鎖線で示す操作部材５１のようにこれを上方向に回動することにより、前記凹部５３を、固定ディスク５４に設けた排水用貫通孔５６および前記給水用貫通孔５５に跨がる開放位置（吐水位置）に位置させて吐水の流量を調節するように構成されたシングルレバー式水栓５７を先に出願している（特願２００１−３０７８１８号明細書、図面参照）。
【０００３】
この先願発明によれば、既設の蛇口本体６０から、水栓本体６１を合成ゴムからなるパッキン６２を備えた弁体６３と共に取り外し、シングルレバー式水栓５７に取り替えることにより、水栓本体６１を用いたときのようにパッキン６２が開閉のたびに蛇口本体６０の弁座４を離れたり圧接するためパッキン６２が劣化し、操作ハンドル５１’を締めつけても、完全に止水することができず、蛇口本体６０に接続された吐水管７３から水漏れが生じるとともに、止水のために操作ハンドル５１’をきつく締めつける必要があるという問題を解消できる利点がある。
【０００４】
これは、シングルレバー式水栓５７の水栓本体５７ａ内に設けた前記固定ディスク５４および可動ディスク５２をセラミック製とし、固定ディスク５４の上面に可動ディスク５２を移動自在に設けるとともに、前記凹部５３を固定ディスク５４との接合面に形成したからで、図６に実線で示す止水状態では、前記凹部５３が固定ディスク５４の前記給水用貫通孔５５を閉塞するしているため、完全に止水することができ、水漏れがない。
【０００５】
また、シングルレバー式水栓５７の連通部材（スピンドル）５９の中央貫通穴５９ａ’のまわりには複数の排水路７１が形成されており、この排水路７１の外方位置に連通部材５９に対して回動可能に取り付けられた袋ナット５９ａを設けてある。５は、蛇口本体６０の内部に形成された流入路２に連通する給水路である。そして、前記水栓５７を蛇口本体６０の差し込み部６５に差し込み、続いて、袋ナット５９ａを差し込み部６５に締付けるだけの簡単な取付け作業で、連通部材５９の下端に設けた合成ゴムからなる吊コマ５８が前記弁座４に圧接した状態で、かつ、連通部材５９の袋ナット５９ａ側の下面に設けた環状のパッキン６６が蛇口本体６０の差し込み部６５の上面６５ａを圧接した状態で、止水および流量調節を行うことができる。６６’は、パッキン６６に上載されたスベリ座である。
【０００６】
なお、７６は、連通部材５９の貫通穴５９ａ’によって形成される給水路５と給水用貫通孔５５を連通させるための連通流路ｑを形成する環状で小径のシートパッキン、７７は、排水用貫通孔５６と排水路７１を連通させるための連通流路ｊを形成する環状で大径のシートパッキンである。また、蛇口本体６０は、内部に、前記給水路５に連通する流入路２と、前記排水路７１と吐水管７３を連通させるための吐水路６を有する。３１は、水栓本体５７ａをカバーするカバー体である。
【０００７】
【発明が解決しようとする課題】
ところで、可動ディスク５２は固定ディスク５４の上面に水密状態で、固定ディスク５４の前記上面と可動ディスク５２の前記下面が接触しながら摺動するよう設けられており、固定ディスク５４に対する可動ディスク５２の摺動性を良くして操作部材５１の回動操作を行い易くするために前記両面にグリースが塗布されている。しかし、前記両面が磨耗により固着して操作部材５１の回動操作性が悪くなり、最悪の場合、力をいれても操作部材５１が動かなくなるという問題があった。
【０００８】
この発明は、前記の点に留意してなされたものであり、その目的は、操作部材の回動操作を容易にできるシングルレバー式水栓を提供することである。
【０００９】
【課題を解決するための手段】
前記課題を解決するために、この発明は、上流側の給水路に連通する給水用貫通孔および下流側の排水路に連通する排水用貫通孔が形成された固定ディスクと、この固定ディスクの上面に水密状態で接触しながら摺動する下面を有し、この下面に凹部が形成された可動ディスクと、上下方向の回動により可動ディスクを前記上面に摺動させる操作部材とを備え、この操作部材の回動により、可動ディスクを、前記凹部が前記給水用貫通孔を閉塞する閉塞位置と、前記凹部が、前記給水用貫通孔および前記排水用貫通孔に跨がる開放位置とに摺動させるように構成したシングルレバー式水栓において、可動ディスクの前記下面に、前記下面と前記上面の接触面積を小さくするための溝を形成してある。
【００１０】
【発明の実施の形態】
以下にこの発明の実施の形態について説明する。なお、この発明はそれによって限定されるものではない。
【００１１】
図１〜図４は、この発明の一実施形態を示す。
この発明と従来例の相違点は、この発明の可動ディスク１の下面Ｂに、凹部１ａ以外に前記下面Ｂと固定ディスク５４の上面Ｃの接触面積を小さくするための溝４０〜４３を形成してある点である。そして、この発明では、可動ディスク以外の構成部材は、従来例と同じものを用いているので説明を省略するとともに、図６に示した蛇口本体６０も参照しながら説明する。
【００１２】
なお、図１〜図４において、図６に示した符号と同一のものは同一または相当物である。
【００１３】
図１〜図４において、固定ディスク５４は、平面視円形で、セラミックからなり、給水用貫通孔５５をその中心部に有するとともに、排水用貫通孔５６を給水用貫通孔５５の側方に有している。また、固定ディスク５４の周縁部には、後述する係合片部１１，１１に係止される係合凹部１２，１２が設けられている。
【００１４】
前記給水用貫通孔５５は、その下端開口が平面視円形状であり、その上端開口は下端開口よりも面積が大きい平面視楕円形状に形成されている。また、前記排水用貫通孔５６は、その上端開口および下端開口が平面視ほぼ三日月状で、上端開口が下端開口よりも面積が大きくなるように形成されている。
【００１５】
そして、上記の構成からなる固定ディスク５４は、連通部材５９の下流端に設けられた環状の突設体ｍの内側に配置される環状の小パッキン７６の上面と、排水用貫通孔５６と排水路７１を連通させるための連通流路ｊを介して突設体ｍの外側に配置される環状の大パッキン１９の上面に配置される。
【００１６】
１は、可動ディスクで、固定ディスク５４と同材質のセラミックからなり、固定ディスク５４に水密状態で摺動自在に上載されている。可動ディスク１は、凹部１ａを下面の中央部に有し、周面Ｍに、一対の係止凹部１３，１３を有する。そして、係止凹部１３，１３に係止する一対の係止片１４，１４を両端に垂下状に有するガイド１５が可動ディスク１の上面Ａに載置されている。
そして、固定ディスク５４に対する可動ディスク１の摺動性を良くするために固定ディスク５４の上面Ｃと可動ディスク１の下面Ｂにグリースが塗布されている。可動ディスク１は図１、図３（Ｂ）に両矢印Ｆで示す前後方向に移動する。両矢印ＦのうちＦ１  方向に最大限動くと図１、図４（Ｂ）に示すように止水状態となり、Ｆ２  方向に可動ディスク１が動いていくと、図４（Ａ）に示すような吐水状態となり、排水用貫通孔５６および給水用貫通孔５５に跨がる開放位置（吐水位置）に凹部１ａを位置させることができて吐水の流量を調節できる。
【００１７】
前記ガイド１５は、たとえば合成樹脂材からなり、上面に、突設体１６を有する。この突設体１６の中央部には、支持部１７が設けられている。
【００１８】
１８は、上から順に前記ガイド１５、可動ディスク１および固定ディスク５４を支持する支持部材で、たとえば合成樹脂製である。支持部材１８は、上部材１９と、この上部材１９に着脱自在に係止することが可能な下部材２０とからなる。
【００１９】
前記上部材１９は、下部の周縁から連設それた一対の垂下状の係合片２１，２１を有するとともに、上部に、操作部材（操作レバー）５１を支持するための支持体２２を有している。
【００２０】
前記係合片２１の下端部には、複数の係止部２１ａが形成されている。
【００２１】
前記支持体２２は、上面の中央部にガイド孔２３を有し、このガイド孔２３に直交する位置に貫通孔２４を有している。。
【００２２】
前記下部材２０は、環状部２５と、この環状部２５の対向する位置に立設された前記係合片１１，１１とからなる。
【００２３】
前記係合片１１の上端部には、前記上部材１９の係止部２１ａに係止させることが可能な係止部１１ａが形成されている。
【００２４】
上記の構成からなる支持部材１８は、下から順に、固定ディスク５４、可動ディスク１およびガイド１５を収容することができる。すなわち、前記上部材１９と下部材２０とを外してある状態で、たとえば下部材２０内に固定ディスク５４、可動ディスク１およびガイド１５を順次収容し、その後、下部材２０に上部材１９を係止することで、支持部材１８に、固定ディスク５４、可動ディスク１およびガイド１５を収容させることができる。そして、この収容状態にある支持部材１８は、水栓本体５７ａを介して合成樹脂製のカバー３１によって覆うことができる。
【００２５】
前記操作レバー５１は、たとえば合成樹脂製であり、連動部材２６およびガイド１５を介して可動ディスク１と連動するように構成されている。
【００２６】
前記連動部材２６は、たとえば金属材からなり、下部に軸孔２６ａを有するとともに、下端部に下端突子２６ｂを有している。そして、前記支持体２２の貫通孔２４および軸孔２６ａを貫通するピン２７によって、連動部材２６は、その下部が前記支持体２２のガイド孔２３を挿通し、下端突子２６ｂがガイド１５の支持部１７に嵌入された状態に保持されることになる。また、連動部材２６は、前記ピン２７によって軸支される軸支部分に部分円弧面２６ｃを有しており、この部分円弧面２６ｃに前記支持体２２の突条体２８が摺接し、止水状態になるように構成されている。
【００２７】
前記操作レバー５１は、装着部５１ａと、この装着部５１ａの端部から前方へ延設された把持部５１ｂとからなる。
【００２８】
前記装着部５１ａの内部には、前記連動部材２６の上部が嵌合される保持部５１ｃが形成されており、保持部５１ｃの雌ネジ孔５１ｄを挿通したネジ２９が、連動部材２６の嵌合凹部２６ｄに係止することで、操作レバー５１が連動部材２６に固定され、操作レバー５１を回動することにより、連動部材２６およびガイド１５を介して可動ディスク１が図１に両矢印Ｆで示す前後方向に移動する。
【００２９】
なお、３３は、たとえば金属製のブッシングで、水栓本体５７ａの上端部の内側に形成された雌ネジ部３４に螺合する雄ねじ部３３ａを外面に有している。
【００３０】
また、３４は、下部に吊コマ５８が嵌込まれた筒状部材、３４ａは、筒状部材３４の上部に嵌込まれたＯリング、３５は、スベリパッキンである。
【００３１】
以下、特徴的構成について説明する。
【００３２】
図１において、シングルレバー式水栓５７は、実線で示すように操作部材（操作レバー）５１を下方向に回動することにより、可動ディスク１の下面に形成された凹部１ａを固定ディスク５４に設けた給水用貫通孔５５の直上に位置させて給水用貫通孔５５を閉塞し、それによって止水状態にする一方、二点鎖線で示す操作部材５１のようにこれを上方向に回動することにより、前記凹部１ａを、固定ディスク５４に設けた排水用貫通孔５６および前記給水用貫通孔５５に跨がる開放位置（吐水位置）に位置させて吐水の流量を調節するように構成されている。
更に、前記可動ディスク１は、平面視略楕円形で、固定ディスク５４の直径よりも若干短い長さに長軸の長さが設定されており、前記係止凹部１３，１３は、長軸の方向に対向配置されている。可動ディスク１は、下面Ｂの中央部に、凹部１ａを有するとともに、下面Ｂの前記凹部１ａのまわりに複数個の溝４０〜４３を有する。各溝４０〜４３は同形で、点対称に設置されている。例えば溝４０は、図３（Ｂ）に示すように、時計の九時と十一時の間にまたがり位置しており、周面Ｍに沿うよう若干湾曲した外辺８ａおよび内辺８ｂと、両辺８ａ，内辺８ｂをつなぐつなぎ辺８ｃ，８ｄによって形成された開口部分を有し、前記長軸の方向に細長く形成されている。溝４１は、溝４０の８ｄとは間隔をおいて隣接しており、九時と七時の間にまたがり位置している。また、溝４３は、時計の一時と三時の間にまたがり位置している。また、溝４２は、溝４３とは溝４０，４１と同様にの間隔をおいて隣接しており、時計の三時と五時の間にまたがり位置している。
【００３３】
前記凹部１ａは、固定ディスク５４の上面Ｃに位置しながら給水用貫通孔５５を閉塞して止水状態にしたり、固定ディスク５４の上面Ｃで、給水用貫通孔５５および排水用貫通孔５６に跨がり、排水用貫通孔５６が半開状態になるように位置して吐水状態となり、更に、Ｆ２  方向に可動ディスク１を移動させることで吐水の流量を増大できる機能を有する。
【００３４】
一方、前記溝４０〜４３によって、可動ディスク１の下面Ｂと固定ディスク５４の上面Ｃの接触面積を小さくすることができるとともに、潤滑剤としてのグリースが溝４０〜４３に留まり続けることで、下面Ｂと上面Ｃが磨耗によって固着し、操作レバー５１の動きが硬くなり、最悪の場合、操作レバー５１が動かなくなるという従来の問題点を回避でき、長期にわたり固定ディスク５４に対する可動ディスク５２の摺動性を維持できる。
【００３５】
図５は、溝４０〜４３に代えてそれぞれを複数に分割した、溝４０〜４３よりも小さな平面視円形の溝部４５を可動ディスク１の下面Ｂで、下面Ｂの中央部に設けた凹部１ａのまわりに点対称に設置したこの発明の他の実施形態を示す。
【００３６】
この場合も、上記実施形態と同様の効果を奏する。
【００３７】
なお、上記各実施形態では可動ディスク１とこの可動ディスク１を水密状態で摺動自在に上載する固定ディスク５４とをセラミック製としたものを示したが、この発明では、前記可動ディスク１の前記下面Ｂと前記固定ディスク５４の上面Ｃとの摺動面部にカーボンナノチューブを用いてもよい。前記摺動面部は、前記下面Ｂを含む可動ディスク１側の面部分と、前記上面Ｃを含む固定ディスク５４側の面部分とから構成される。更に、この発明では、カーボンナノチューブよりなる可動ディスク１とこの可動ディスク１と同材質のカーボンナノチューブからなる固定ディスク５４を用いてもよい。前記カーボンナノチューブは、多数の炭素原子がネット状に配列された、極めて小径のチューブで構成されており、炭素の同素体の一つであるダイヤモンドの硬さと同じ程度に硬い特性を有する。この場合、前記溝４０〜４３または前記溝部４５によって、可動ディスク１の下面Ｂと固定ディスク５４の上面Ｃの接触面積を小さくすることができるとともに、潤滑剤としてのグリースが溝４０〜４３に留まり続けることに加えて、前記下面Ｂと上面Ｃが磨耗によって固着し難くできるので、上記各実施形態の場合に比して、更に長期にわたり固定ディスク５４に対する可動ディスク５２の摺動性を維持できる。
【００３８】
なお、この発明の溝の形状は、上記効果を奏するものであれば上記各実施形態に限るものではなく、適宜の形状に設定できる。
【００３９】
なお、この発明にいう「水」は、湯を含む概念であり、この発明のシングルレバー式水栓５７’は、給湯設備の下流側に設置して用いることもできるのは勿論である。
【００４０】
【発明の効果】
以上説明したようにこの発明は、操作部材の回動操作を容易にできるシングルレバー式水栓を提供することができる。
【図面の簡単な説明】
【図１】この発明の一実施形態を示す全体構成説明図である。
【図２】上記実施形態における要部分解斜視図である。
【図３】（Ａ）は、上記実施形態で用いた可動ディスクの平面図である。
（Ｂ）は、上記実施形態で用いた可動ディスクの底面図である。
（Ｃ）は、図３（Ａ）におけるＣ−Ｃ断面図である。
（Ｄ）は、図３（Ａ）におけるＤ−Ｄ断面図である。
【図４】（Ａ）は、上記実施形態における吐水の状態を示すための要部構成説明図である。
（Ｂ）は、上記実施形態における止水の状態を示すための要部構成説明図である。
【図５】（Ａ）は、この発明の他の実施形態で用いた可動ディスクの平面図である。
（Ｂ）は、上記他の実施形態で用いた可動ディスクの底面図である。
（Ｃ）は、図５（Ａ）におけるＣ’−Ｃ’断面図である。
（Ｄ）は、図５（Ａ）におけるＤ’−Ｄ’断面図である。
【図６】シングルレバー式水栓を既設の蛇口本体に装着するときの手順を説明するための図である。
【符号の説明】
１…可動ディスク、４０〜４３…溝、５４…固定ディスク、５７’…シングルレバー式水栓、Ｂ…下面、Ｃ…上面。
【図１】
2004218826.tif 000003
【図２】
2004218826.tif 000004
【図３】
2004218826.tif 000005
【図４】
2004218826.tif 000006
【図５】
2004218826.tif 000007
【図６】
2004218826.tif 000008